(57)【要約】【課題】  正面部材の跳ね上げられた状態から押し下げる際に、正面部材の手掛け部を容易に視認でき押し下げ作業を容易に行える冷蔵ショーケースを提供すること【解決手段】  正面部材１４の跳ね上げられた状態では、前傾機構によって常に正面部材１４の前面が下方に向けて前傾されていることから、正面部材１４を押し下げる際には、作業者（図示略）に手掛け部１５を容易に視認させることができ、作業者は手掛け部１５を利用して、正面部材１４の押し下げ作業を円滑に行うことができる。【選択図】  図２
2005334325.tif 000002
【特許請求の範囲】
【請求項１】
前面が開放するケース本体内に形成した貯蔵室を、ケース本体内の上部前方に設けた吹出口から、下方に向けて吹出される冷気のエアーカーテンで覆うことにより冷却するとともに、前記ケース本体の下部前方に配置した正面部材を、前記ケース本体上部の前方側に跳ね上げた状態において、前記ケース本体内に商品陳列台を兼ねる運搬カートの搬出入ができるようにした冷蔵ショーケースであって、前記正面部材の前面に手掛け部を設けるとともに、前記正面部材を前記ケース本体上部の前方側に跳ね上げた状態において、前記正面部材の前面を下方に向けて前傾させる前傾機構を具備することを特徴とする冷蔵ショーケース。
【請求項２】
前記前傾機構は、前記ケース本体と前記正面部材とを左右１対の上下２本の連結杆の基端と自由端で連結するとともに、前記ケース本体に枢着する上下２本の連結杆の基端の間隔を、前記正面部材に枢着する前記上下２本の連結杆の自由端の間隔より大としたものである請求項１に記載の冷蔵ショーケース。
【請求項３】
前記ケース本体内には、前記運搬カートの上端部よりも上方に棚板が設けられ、前記連結杆が前記棚板の下端に当接しない形状になっている請求項２に記載の冷蔵ショーケース。
【請求項４】
前記ケース本体内の後方下部に吸込口を形成し、該吸込口にファンを設けた請求項１乃至３のいずれかに記載の冷蔵ショーケース。
【請求項５】
前記手掛け部は正面部材の前面内に収納可能になっている請求項１乃至４のいずれかに記載の冷蔵ショーケース。
【発明の詳細な説明】
【技術分野】
【０００１】
本発明は、前面が開放するケース本体内に形成した貯蔵室をエアーカーテンで覆うことにより冷却するとともに、前記ケース本体の下部前方に配置した正面部材を、前記ケース本体上部の前方側に跳ね上げた状態において、前記ケース本体内に商品陳列台を兼ねる運搬カートの搬出入ができるようにした冷蔵ショーケースに関する。
【背景技術】
【０００２】
従来の運搬カートを搬出入可能な冷蔵ショーケースは、ケース本体の下部前方に正面部材を備え、正面部材の上部に「く」字形の支持アームの自由端を軸着させ、下部に直線状杆材の自由端を軸着させ、ケース本体内の後方の上部に支持アームの基端を軸着させ、下部に直線状杆材の基端を軸着させることで、平行４辺形リンク機構を構成している。
【０００３】
そして、作業者が正面部材前方に設けられた手掛け部を上方に跳ね上げるだけで、平行４辺形リンク機構によってケース本体上部の前方側に正面部材を平行移動させることができ、運搬カートをケース本体内に容易に搬出入させるようになっている（例えば、特許文献１参照）。
【０００４】
【特許文献１】特開平８−２７１１０６号公報（段落０００８−０００９、第１図）
【発明の開示】
【発明が解決しようとする課題】
【０００５】
しかしながら、特許文献１にあっては、平行４辺形リンク機構によって正面部材をケース本体上部の前方側に跳ね上げた状態では、正面部材の前面の傾斜角度が垂直状態のままであるため、作業者がケース本体内に運搬カートを搬入及び搬出し、再び正面部材を押し下げる際に手掛け部が作業者から視認しづらく不便であった。
【０００６】
本発明は、このような問題点に着目してなされたもので、正面部材の跳ね上げられた状態から押し下げる際に、正面部材の手掛け部を容易に視認でき押し下げ作業を容易に行える冷蔵ショーケースを提供することを目的とする。
【課題を解決するための手段】
【０００７】
上記課題を解決するために、本発明の請求項１に記載の冷蔵ショーケースは、前面が開放するケース本体内に形成した貯蔵室を、ケース本体内の上部前方に設けた吹出口から、下方に向けて吹出される冷気のエアーカーテンで覆うことにより冷却するとともに、前記ケース本体の下部前方に配置した正面部材を、前記ケース本体上部の前方側に跳ね上げた状態において、前記ケース本体内に商品陳列台を兼ねる運搬カートの搬出入ができるようにした冷蔵ショーケースであって、前記正面部材の前面に手掛け部を設けるとともに、前記正面部材を前記ケース本体上部の前方側に跳ね上げた状態において、前記正面部材の前面を下方に向けて前傾させる前傾機構を具備することを特徴としている。
この特徴によれば、ケース本体上部の前方側に正面部材を跳ね上げた状態で、ケース本体内への運搬カートの搬入またはケース本体からの運搬カートの搬出時に、正面部材の前面が下方に向けて前傾されることで、作業者は容易に手掛け部の視認を行うことができ、正面部材の押し下げ作業を円滑に行える。
【０００８】
本発明の請求項２に記載の冷蔵ショーケースは、請求項１に記載の冷蔵ショーケースであって、前記前傾機構は、前記ケース本体と前記正面部材とを左右１対の上下２本の連結杆の基端と自由端で連結するとともに、前記ケース本体に枢着する上下２本の連結杆の基端の間隔を、前記正面部材に枢着する前記上下２本の連結杆の自由端の間隔より大としたものであることを特徴としている。
この特徴によれば、正面部材の傾斜角度を常に下方に向けて前傾させることができ、連結杆の上下の基端の間隔距離と、上下の自由端の間隔距離によって正面部材の前傾角度を任意に設定できる。
【０００９】
本発明の請求項３に記載の冷蔵ショーケースは、請求項２に記載の冷蔵ショーケースであって、前記ケース本体内には、前記運搬カートの上端部よりも上方に棚板が設けられ、前記連結杆が前記棚板の下端に当接しない形状になっていることを特徴としている。
この特徴によれば、例えばケース本体の左右側端に棚板が延設された場合でも、連結杆の形状によって正面部材の跳ね上げが棚板に制限されることなく、ケース本体上部の前面側に跳ね上げることができ、運搬カートの搬出入も円滑に行える。
【００１０】
本発明の請求項４に記載の冷蔵ショーケースは、請求項１乃至３のいずれかに記載の冷蔵ショーケースであって、前記ケース本体内の後方下部に吸込口を形成し、該吸込口にファンを設けたことを特徴としている。
この特徴によれば、吹出口から吹出される冷気をケース本体内に形成された吸込口に設けられたファンで吸引させることで、従来のように正面部材内にファンを設けなくとも、冷気循環路を形成できるとともに、軽量化も図れるので正面部材の跳ね上げる際に作業者の負担を軽減できる。
【００１１】
本発明の請求項５に記載の冷蔵ショーケースは、請求項１乃至４のいずれかに記載の冷蔵ショーケースであって、前記手掛け部は正面部材の前面内に収納可能になっていることを特徴としている。
この特徴によれば、正面部材がケース本体の下部前方に押し下げられた状態では、手掛け部を正面部材の前面に収納することで、店員や顧客の脚に当接することが防止され、正面部材をケース本体の上部前方に跳ね上げる時に手掛け部を正面部材から引き出して使用できる。
【発明を実施するための最良の形態】
【００１２】
本発明の実施例を以下に説明する。
【実施例】
【００１３】
図１は、本発明の実施例における冷蔵ショーケース（以下、ショーケース１）の全体像を示す斜視図であり、図２は、図１のA−A線の正面部材の跳ね上げ過程を示す冷蔵ショーケースの側断面図であり、図３は、ケース本体内への運搬カートの搬入を示す側面図であり、図４は、正面部材の押し下げ過程を示す側面図である。このショーケース１は、デパートやスーパーマーケット等の食料品売場に設置されており、主に保冷を要する商品の商品陳列台を兼ねる運搬カート２０の搬出入が行えるようになっている。
【００１４】
本発明の実施例１を図面に基づいて説明すると、図１に示されるように、ショーケース１は、上部に天板９を背面に背面板１３が設けられ前面を開放するように形成されたケース本体２と、ケース本体２の下部前方に配置された正面部材１４から主に構成され、背面板１３の上部に商品陳列用の棚板３が左右の長さ方向に延設され取り付けられている。
【００１５】
このケース本体２の棚板３の下方に形成された貯蔵室８内には、複数の商品を収納する商品カゴ２１を複数段（本実施例では２段）載置した運搬カート２０が左右の長さ方向に複数台収納されている。以下、本実施例ではショーケース１の正面を前方とし、ショーケース１の背面側を後方として説明する。
【００１６】
正面部材１４は左右の長さ方向に向けて、前後方向に立設するように形成され、正面部材１４によって運搬カート２０が前方に移動しないように規制されている。正面部材１４の前面側には収納部１４ｃが形成され、収納部１４ｃ内に手掛け部１５が収納されており、図に示されるように手掛け部１５を手前に引き出すことで使用可能になっている。
【００１７】
ケース本体２は図２に示されるように、天板９の前方下端に吹出口６が形成されており、背面板１３の下方に形成された吸込口１１に設けられたファン５によって吸込口１１から空気が吸い込まれ、背面板１３とショーケース１の背面に設けられた後面板１２からなる通風路７内に設けられた蒸発器４の熱交換によって空気が冷却されて、通風路７に沿って吹出口６から貯蔵室８内に冷気が送り込まれる。
【００１８】
この冷気は棚板３に載置された商品（図示略）や貯蔵室８に収納された運搬カート２０の商品（図示略）を冷却するとともに、冷気の一部が再度吸込口１１から吸い込まれることで、吹出口６から吸込口１１にかけて、冷気層であるエアーカーテン１０を形成して外部からの熱を遮断している。さらに、正面部材１４によって、貯蔵室８内の下方に流下した冷気を極力外部に漏出させないように防止されるとともに、冷気を吸込口１１方向に案内させるようになっている。
【００１９】
このように、吹出口６から吹出される冷気をケース本体２内に形成された吸込口１１に設けられたファン５で吸引させることで、従来のように正面部材１４内にファンを設けなくとも、冷気循環路を形成できるとともに、軽量化も図れるので正面部材１４の跳ね上げる際に作業者の負担を軽減できる。
【００２０】
次いで、正面部材１４を中心に詳細に説明すると、正面部材１４の背面側の左右両端の上部にはブラケット１４ａが、その下部にはブラケット１４ｂが後方に向けて突設されている。背面板１３の左右両端の中央よりやや上部位置にはブラケット１３ａが、その下部にはブラケット１３ｂが、さらに低い位置にはブラケット１３ｃが前方に向けて突設されている。
【００２１】
これら各ブラケット１４ａ、１４ｂ、１３ａ、１３ｂ、１３ｃには、後述の軸ピン１６ａ、１７ａ、１６ｂ、１７ｂ、１８ｂで軸着可能な軸孔（図示略）が形成されており、背面板１３のブラケット１３ａ、１３ｂの軸孔（図示略）間の距離が、正面部材１４のブラケット１４ａ、１４ｂの軸孔（図示略）間の距離よりも大となるように、ブラケット１３ａ、１３ｂが形成されている。
【００２２】
そこで、中央部が下方に折り曲がるように形成された「く」字形の第１連結杆１６の自由端をブラケット１４ａに軸ピン１６ａで軸着させ、基端をブラケット１３ａに軸ピン１６ｂで軸着させ、また直線状に形成された第２連結杆１７の自由端をブラケット１４ｂに軸ピン１７ａで軸着させ、基端をブラケット１３ｂに軸ピン１７ｂで軸着させる。このように構成することにより、第１連結杆１６と第２連結杆１７の基端の上下間の距離は、第１連結杆１６と第２連結杆１７の自由端の上下間の距離よりも長くなるように枢着されることになる。
【００２３】
そして、第１連結杆１６の基端側には、連結部材１９が連結固定されており、従来公知のダンパー装置１８（本実施例ではエアシリンダ式を使用）の上部が軸ピン１８ａで連結部材１９に軸着され、下部が軸ピン１８ｂでブラケット１３ｃに軸着されており、正面部材１４を上下動させる際に、ダンパー装置１８のダンパー作用によって、正面部材１４を作業者が上昇しきった位置および下降しきった位置にゆっくりと安全に定着させることができる構成になっている。
【００２４】
図２において、運搬カート（図示略）の貯蔵室８の搬出入を行う際には、正面部材１４を上方に移動させる必要がある。そこで、作業者が手掛け部１５を用いて正面部材１４を上方に持ち上げていくと、矢印に示されるように第１連結杆１６はダンパー装置１８によって、軽い操作力でゆっくりと正面装置１４が跳ね上げられ、ダンパー装置１８の伸長しきった位置で第１支持杆１６が位置固定される。
【００２５】
図３に示されるように、上方に跳ね上げられた正面部材１４は、天板９の前面側に位置する状態で定置され、上述において説明した第１連結杆１６と第２連結杆１７の自由端の間隔と、第１連結杆１６と第２連結杆１７の基端の間隔の関係により、正面部材１４の前面が下方に向けて前傾された状態となる。このようにして、ショーケース１には常に正面部材１４の跳ね上げ時に正面部材１４の前面を下方に向けて前傾させる前傾機構が構成されている。
【００２６】
なお、第１連結杆１６が「く」字形に形成されていることから、正面部材１４を跳ね上げた際に、棚板３に第１連結杆１６を当接させることなく、棚板３よりも高い位置に正面部材１４を移動させることができる。しかも、正面部材１４が通常の位置、つまり下降しきった位置では、ケース本体２の両側板に第１連結杆１６が隠蔽され、外部からの見栄えもよくなっている（図１参照）。
【００２７】
したがって、ケース本体２の上部前方側に正面部材１４を跳ね上げることができ、例えば高さのある運搬カート２０場合であっても、作業者２２は運搬カート２０を貯蔵室８内に迅速に搬入できる。同様に貯蔵室８から運搬カート２０の搬出を行う場合でも迅速に行うことができる。
【００２８】
次いで、運搬カート２０を貯蔵室８内から搬入または搬出したのちに、正面部材１４を押し下げるには、まず作業者２２は頭部の上方に位置する手掛け部１５を視認するのであるが、正面部材１４が前傾機構により予め下方に向けて前傾されていることから、作業者２２は容易に手掛け部１５の視認を行うことができる。また、手掛け部１５も下方に向けて前傾することから、垂直に定置される従来のものに比べ、手掛け位置が若干低くなると共に下からの手掛けが容易にできる。
【００２９】
そして、図４に示されるように作業者２２が手掛け部１５に手を掛けて下方に押し下げると、ダンパー装置１８の働きにより、正面部材１４をゆっくりとかつ安全に引き下ろすことができ、ケース本体２の下部前方に位置する状態に定置できる。このように、正面部材１４が押し下げられた状態では、手掛け部１５を収納部１４ｃに収納することで、店員や顧客の脚に当接することが防止される。
【００３０】
以上の説明により実施例１では、正面部材１４の跳ね上げられた状態では、前傾機構によって常に正面部材１４の前面が下方に向けて前傾されていることから、正面部材１４を押し下げる際には、作業者２２に手掛け部１５を容易に視認させることができ、手掛け部１５を利用して、正面部材１４の押し下げ作業を円滑に行うことができる。
【００３１】
以上、本発明の実施例を図面により説明してきたが、具体的な構成はこれら実施例に限られるものではなく、本発明の要旨を逸脱しない範囲における変更や追加があっても本発明に含まれ、例えば上記実施例での正面部材１４の前傾角度は、第１連結杆１６と第２連結杆１７の上下の基端の間隔距離と、上下の自由端の間隔距離によって設定されているが、本発明はこれに限定されるものではなく、正面部材を前面部と背面部とで構成し、背面部の前面に前面部を下方に向けて前傾可能に軸着させることで、予め前面部を背面部から前傾させて、跳ね上げ時に、前面部が下方に向けて前傾されるようにしても良い。
【００３２】
また、上記実施例では、ダンパー装置１８にエアシリンダを用いているが本発明はこれに限定されるものではなく、例えばオイルダンパやバランスウェイトを使用してもよい。
【図面の簡単な説明】
【００３３】
【図１】本発明の実施例における冷蔵ショーケースの全体像を示す斜視図である。
【図２】図１のA−A線の正面部材の跳ね上げ過程を示す冷蔵ショーケースの側断面図である。
【図３】ケース本体内への運搬カートの搬入を示す側面図である。
【図４】正面部材の押し下げ過程を示す側面図である。
【符号の説明】
【００３４】
１                ショーケース（冷蔵ショーケース）
２                ケース本体
３                棚板
４                蒸発器
５                ファン
６                吹出口
７                通風路
８                貯蔵室
９                天板
１０              エアーカーテン（冷気層）
１１              吸込口
１２              後面板
１３              背面板
１３ａ、１３ｂ    ブラケット
１３ｃ            ブラケット
１４              正面部材
１４ａ、１４ｂ    ブラケット
１４ｃ            収納部
１５              手掛け部
１６              第１連結杆
１６ａ、１６ｂ    軸ピン
１７              第２連結杆
１７ａ、１７ｂ    軸ピン
１８              ダンパー装置
１８ａ、１８ｂ    軸ピン
１９              連結部材
２０              運搬カート
２１              商品カゴ
２２              作業者
【図１】
2005334325.tif 000003
【図２】
2005334325.tif 000004
【図３】
2005334325.tif 000005
【図４】
2005334325.tif 000006